(57)【要約】【課題】蛍光ランプを温度ムラやたわみが生じないように固定した照明装置を提供する。【解決手段】並列に配置される複数の蛍光ランプ１と、反射板２の表面に各蛍光ランプ１に対応して設けられ、蛍光ランプ１の軸方向に沿った接触面を備えた固定用リブ３とを備え、各蛍光ランプ１をそれぞれの固定用リブ３の接触面に固定する。【選択図】図１
2006179187.tif 000002
【特許請求の範囲】
【請求項１】
反射板の表面に並列に配置される複数の蛍光ランプと、
反射板の表面に各蛍光ランプに対応して設けられ、蛍光ランプの軸方向に沿った接触面を備えた複数の固定用リブと、を有し、
各蛍光ランプをそれぞれの固定用リブの接触面に固定したことを特徴とする照明装置。
【請求項２】
各蛍光ランプを鉛直方向に並べて配置したときの上側に位置する固定用リブの接触面の面積を下側に位置する固定用リブのものよりも大きくしたことを特徴とする請求項１記載の照明装置。
【請求項３】
各固定用リブの両端の角に曲部を備えたことを特徴とする請求項１又は２記載の照明装置。
【発明の詳細な説明】
【技術分野】
【０００１】
本発明は、液晶表示装置のバックライト等として用いられる照明装置に関する。
【背景技術】
【０００２】
図６（ａ）は従来の照明装置の構成を示す平面図であり、同図（ｂ）はその側面図である。この照明装置は、反射板２の表面に複数の蛍光ランプ１を並列に配置したものであり、複数の蛍光ランプ１が画面の直下に配置されるように液晶表示装置に組み込まれることから、直下型と呼ばれている。各蛍光ランプ１の両端は、一対のゴムホルダー４ａ，４ｂによって固定される。また、各蛍光ランプ１は、それぞれ２個の固定用リブ１３によって反射板２の表面から一定の距離に位置するように固定される。
【０００３】
図７は、図６（ａ）のａ−ａ’部における蛍光ランプ１と固定用リブ１３の構成を示す断面図である。固定用リブ１３は、管状の蛍光ランプ１をその外周面に沿って下から挟み込むようにした挟込部１３ａと、この挟込部１３ａを反射板２の表面に固定するための支持部１３ｂとを備えた構成である。固定用リブ１３は、このような構成により、蛍光ランプ１を反射板２に固定するようになっている。
【発明の開示】
【発明が解決しようとする課題】
【０００４】
しかしながら、上述した従来の照明装置の構成では、次のような問題が生じる。まず第１に、各蛍光ランプ１における固定用リブ１３が位置する部分は、固定用リブ１３を通じて放熱作用をするため、固定用リブ１３のない部分と比較して管壁温度が低くなる。このため、蛍光ランプ１は、管軸方向の温度分布が不均一になり、水銀の分布が片寄ることになる。
【０００５】
第２に、図６に示す照明装置は、液晶表示装置に組み込まれたときには、複数の蛍光ランプ１が鉛直方向に並ぶように配置されることになるが、液晶表示装置の大型化に伴って蛍光ランプ１が軸方向に長くなると、蛍光ランプ１が鉛直方向にたわみ易くなり、画面に輝度ムラを発生させる原因となる。
【０００６】
本発明は、上記に鑑みてなされたものであり、その目的とするところは、蛍光ランプを温度ムラやたわみが生じないように固定した照明装置を提供することになる。
【課題を解決するための手段】
【０００７】
第１の本発明に係る照明装置は、反射板の表面に並列に配置される複数の蛍光ランプと、反射板の表面に各蛍光ランプに対応して設けられ、蛍光ランプの軸方向に沿った接触面を備えた複数の固定用リブと、を有し、各蛍光ランプをそれぞれの固定用リブの接触面に固定したことを特徴とする。
【０００８】
本発明にあっては、蛍光ランプの軸方向に沿った接触面を備えた固定用リブを反射板の表面に設け、各蛍光ランプをこの固定用リブの接触面に固定することで、蛍光ランプがほぼ全長に渡って固定用リブに固定されるようにして、従来のように蛍光ランプに局所的に固定用リブを設けた場合のような温度ムラの発生を防止し、水銀の分布の片寄りを防止する。また、蛍光ランプをほぼ全長に渡って固定用リブに固定することで、蛍光ランプのたわみの発生を防止する。
【０００９】
第２の本発明に係る照明装置は、各蛍光ランプを鉛直方向に並べて配置したときの上側に位置する固定用リブの接触面の面積を下側に位置する固定用リブのものよりも大きくしたことを特徴とする。
【００１０】
本発明にあっては、鉛直方向の上側に位置する固定用リブの蛍光ランプとの接触面の面積を、下側に位置する固定用リブの接触面の面積よりも大きくしたことで、上側に位置する蛍光ランプが接触面を通じて放熱する量を多くし、上側と下側とでの蛍光ランプの温度差を抑制し、表示画面における輝度ムラの発生を防止する。
【００１１】
第３の本発明に係る照明装置は、各固定用リブの両端の角に曲部を備えたことを特徴とする。
【００１２】
本発明にあっては、各固定用リブの両端の角に曲部を備えたことで、蛍光ランプが何らかの衝撃によって固定用リブの角とぶつかった場合の蛍光ランプの破損を防止する。
【００１３】
第４の本発明に係る照明装置は、各固定用リブの接触面の曲率を蛍光ランプの外周面の曲率よりも大きくしたことを特徴とする。
【００１４】
本発明にあっては、各固定用リブの蛍光ランプとの接触面の曲率を、蛍光ランプの外周面の曲率よりも大きくしたことで、蛍光ランプが固定用リブの接触面から転落することを防止する。
【発明の効果】
【００１５】
本発明に係る照明装置によれば、蛍光ランプを温度ムラやたわみが生じないように固定することができる。
【発明を実施するための最良の形態】
【００１６】
以下、本発明の実施の形態について図面を用いて説明する。
【００１７】
図１（ａ）は、本実施の形態における照明装置の構成を示す平面図であり、同図（ｂ）はその側面図である。本照明装置では、複数の蛍光ランプ１が反射板２の表面から一定の距離をおいた位置に並列に配置される。各蛍光ランプ１は、管状のガラスバルブの内壁に蛍光体皮膜が形成され、ガラスバルブの内部には１種類以上の希ガスと水銀が封入される。ガラスバルブの両端内部には電極が配置され、ガラスバルブの両端部には電極に接続された導入線が気密に封着される。各導入線には、外部電源からの電源供給用のリード線がそれぞれ接続される。
【００１８】
各蛍光ランプ１の両端は、各蛍光ランプ１に対応した複数の挿入孔を備えた一対のゴムホルダー４ａ，４ｂのそれぞれの挿入孔に挿入される。
【００１９】
本照明装置では、蛍光ランプの管軸方向に沿った接触面を備えた固定用リブ３が反射板２の表面に各蛍光ランプ１に対応して設けられている。固定用リブ３の蛍光ランプ１との接触面は、蛍光ランプ１の管軸方向の長さとほぼ同程度の長さであり、各蛍光ランプ１は、この接触面により管軸方向の全体に渡って均一に固定される。具体的には、軸方向の長さが１５０ｍｍ程度の蛍光ランプ１の両端から８ｍｍ程度内側から更に内側部分の管壁外周面が固定用リブ３の接触面に固定される。蛍光ランプ１と固定用リブ３との固定には接着剤を用いる。この接着剤にシリコン系のものを用いることで、リーク電流の抑制を図る。
【００２０】
このように、本照明装置では、蛍光ランプ１を管軸方向に沿って固定用リブ３の接触面に固定した構成とすることで、従来のように蛍光ランプ１に局所的に固定用リブ１３を設けた場合のような温度ムラの発生を防止し、水銀の分布の片寄りを防止する。
【００２１】
また、本照明装置は直下型であり、液晶表示装置に組み込む際には、複数の蛍光ランプ１は、その軸が水平となるように鉛直方向に並列に配置される。このため、液晶表示装置が大型の場合には、各蛍光ランプ１の軸方向の長さが長くなり、鉛直方向へのたわみが生じ易くなる。
【００２２】
そこで、本照明装置は、蛍光ランプ１のほぼ全長に渡って蛍光ランプ１を固定用リブ３の接触面に固定することで、このようなたわみの発生を防止する。
【００２３】
図２は、図１（ａ）のｂ−ｂ’部の断面図であり、図３は、図１（ａ）のｃ−ｃ’部の断面図である。本照明装置では、ｂ−ｂ’部を鉛直方向の上側に、ｃ−ｃ’部を鉛直方向の下側にそれぞれ配置する。
【００２４】
蛍光ランプ１が発する熱は、基本的には下から上へと向かうので、上側に位置する蛍光ランプ１は温度が高くなる。
【００２５】
そこで、本照明装置では、図２と図３に示すように、上側に位置するｂ−ｂ’部の固定用リブ３の蛍光ランプ１との接触面の面積Ｓ１を、下側に位置する固定用リブの接触面の面積Ｓ２よりも大きくした構成とする。
【００２６】
このような構成とすることで、本照明装置は、上側に位置する蛍光ランプ１では接触面を通じて放熱する量を多くし、上側と下側の蛍光ランプの温度差の拡大を抑制し、表示画面における輝度ムラの発生を防止する。
【００２７】
図４は、図１（ａ）のｄ−ｄ’部の断面図である。同図に示すように、固定用リブ３は、その両端の角に曲部６ａ，６ｂをそれぞれ備える。この曲部６ａ，６ｂは、固定用リブ３の接触面と側壁との境界となる角が丸くなるようにするためのものである。
【００２８】
このような構成とすることで、本照明装置では、蛍光ランプ１が何らかの衝撃によって固定用リブ３の角とぶつかった場合の蛍光ランプ１の破損を防止する。
【００２９】
図５は、固定用リブ３の別の構成を示す断面図である。同図の固定用リブ３は、蛍光ランプ１との接触面の曲率を、蛍光ランプ１の外周面の曲率よりも大きくした構成である。
【００３０】
このような構成とすることで、本照明装置では、蛍光ランプ１が固定用リブ３の接触面から転落し難くしている。
【００３１】
したがって、本実施の形態によれば、蛍光ランプ１の軸方向に沿った接触面を備えた固定用リブ３を反射板２の表面に設け、各蛍光ランプ１をこの固定用リブ３の接触面に固定することで、蛍光ランプがほぼ全長に渡って固定用リブに固定されるので、従来のように蛍光ランプに局所的に固定用リブを設けた場合のような温度ムラの発生を防止でき、もって水銀の分布の片寄りを防止することができる。また、蛍光ランプ１がほぼ全長に渡って固定用リブ３に固定されるので、蛍光ランプ１のたわみの発生を防止することができる。
【００３２】
本実施の形態によれば、鉛直方向の上側に位置する固定用リブの蛍光ランプとの接触面の面積を、下側に位置する固定用リブの接触面の面積よりも大きくしたことで、上側に位置する蛍光ランプが接触面を通じて放熱する量が多くなるので、上側と下側とでの蛍光ランプの温度差を抑制でき、もって表示画面における輝度ムラの発生を防止することができる。
【００３３】
本実施の形態によれば、各固定用リブ３の両端の角に曲部６ａ，６ｂをそれぞれ備えたことで、蛍光ランプ１が何らかの衝撃によって固定用リブ３の角とぶつかった場合でも、蛍光ランプ１の破損を防止することができる。
【００３４】
本実施の形態によれば、各固定用リブ３の蛍光ランプ１との接触面の曲率を、蛍光ランプ１の外周面の曲率よりも大きくしたことで、蛍光ランプ１の固定用リブ３の接触面からの転落を防止することができる。
【００３５】
本実施の形態によれば、各蛍光ランプ１の円周方向の温度は、固定用リブ３と接触する部分が最も低くなるので、この部分の蛍光ランプ内部に水銀が集中し、蛍光ランプ１の照射方向に位置する部分には水銀がなくなるので、余剰水銀の管壁付着による輝度ムラの発生を防止することができる。
【図面の簡単な説明】
【００３６】
【図１】同図（ａ）は一実施の形態における照明装置の構成を示す平面図であり、同図（ｂ）はその側面図である。
【図２】図１のｂ−ｂ’部における蛍光ランプと固定用リブの構成を示す断面図である。
【図３】図１のｃ−ｃ’部における蛍光ランプと固定用リブの構成を示す断面図である。
【図４】図１のｄ−ｄ’部における蛍光ランプと固定用リブの構成を示す断面図である。
【図５】固定用リブの別の構成を示す断面図である。
【図６】同図（ａ）は従来の照明装置の構成を示す平面図であり、同図（ｂ）はその側面図である。
【図７】図６のａ−ａ’部における蛍光ランプと固定用リブの構成を示す断面図である。
【符号の説明】
【００３７】
１…蛍光ランプ
２…反射板
３…固定用リブ
４ａ，４ｂ…ゴムホルダー
６ａ，６ｂ…曲部
１３…固定用リブ
１３ａ…挟込部
１３ｂ…支持部
【図１】
2006179187.tif 000003
【図２】
2006179187.tif 000004
【図３】
2006179187.tif 000005
【図４】
2006179187.tif 000006
【図５】
2006179187.tif 000007
【図６】
2006179187.tif 000008
【図７】
2006179187.tif 000009